(57)【要約】【課題】通気性および伸縮性を確保しながら、保温性を高めたつま先ウォーマーを提供すること。【解決手段】つま先を入れる開口部を有する袋状のつま先被覆部と、該つま先被覆部をつま先に着脱可能に固定するためのストッパ部とを備え、つま先被覆部は、伸縮性および通気性を有する生地からなる足甲袋部と、足甲袋部の外周部に接合された伸縮性および通気性を有する生地からなる足裏袋部と、足甲袋部および足裏袋部の内部に充填された保温材とを有し、ストッパ部は、つま先被覆部に連設され、つま先被覆部をつま先へ引き寄せて固定するよう構成され、足甲袋部と足裏袋部のうち少なくとも一方に収納される前記保温材が、発泡樹脂粒子からなることを特徴とするつま先ウォーマー。【選択図】図２
0003172726.tif 000002
【実用新案登録請求の範囲】
【請求項１】
つま先を入れる開口部を有する袋状のつま先被覆部と、該つま先被覆部をつま先に着脱可能に固定するためのストッパ部とを備え、
つま先被覆部は、伸縮性および通気性を有する生地からなる足甲袋部と、足甲袋部の外周部に接合された伸縮性および通気性を有する生地からなる足裏袋部と、足甲袋部および足裏袋部の内部に充填された保温材とを有し、
ストッパ部は、つま先被覆部に連設され、つま先被覆部をつま先へ引き寄せて固定するよう構成され、
足甲袋部と足裏袋部のうち少なくとも一方の内部に充填される前記保温材が、発泡樹脂粒子からなることを特徴とするつま先ウォーマー。
【請求項２】
前記発泡樹脂粒子は、平均粒子径０．３〜３．０ｍｍの発泡スチレン系樹脂粒子からなるり、かつ粒子内部に多数の独立気泡を有する請求項１に記載のつま先ウォーマー。
【請求項３】
前記保温材として前記発泡樹脂粒子が充填された前記足裏袋部は、足指の付け根付近および足裏の幅方向中央付近への発泡樹脂粒子の足裏袋部内での移動を規制するＴ字形の仕切り部を有している請求項１または２に記載のつま先ウォーマー。
【請求項４】
前記ストッパ部は、前記足裏袋部と連設され、踵を通してアキレス腱に引っ掛けられるよう伸縮性生地にて輪形に形成されている請求項１〜３のいずれか１つに記載のつま先ウォーマー。
【請求項５】
前記ストッパ部は、前記足裏袋部と連設されて足首に結ぶことができる紐である請求項１〜３のいずれか１つに記載のつま先ウォーマー。
【請求項６】
前記ストッパ部は、前記足裏袋部と連設され、踵に引っ掛けられるよう伸縮性生地にて凹形に形成されている請求項１〜３のいずれか１つに記載のつま先ウォーマー。
【考案の詳細な説明】
【技術分野】
【０００１】
本考案は、つま先を保温するつま先ウォーマーに関する。
【背景技術】
【０００２】
寒い時期において、手の指先や足のつま先は特に冷えやすい。そのため、一般に手袋や厚手の靴下にて手や足の防寒対策がとられている。
つま先の防寒具として、つま先から足半分ほどを覆う袋形に形成されており、つま先から抜けないよう足首に結びつける紐を有するつま先用靴下が提案されている（例えば、特許文献１および２参照）。
【先行技術文献】
【特許文献】
【０００３】
【特許文献１】特開平９−２１７２０４号公報
【特許文献２】特開２００５−６６１５２号公報
【考案の概要】
【考案が解決しようとする課題】
【０００４】
特許文献１に記載のつま先用靴下の場合、内層と外層の間に非通気性の樹脂シートを介装し、さらに、内層の内面に起毛部を形成することにより保温性を高めているが、非通気性の樹脂シートによってつま先が蒸れてしまう。
【０００５】
また、特許文献２に記載のつま先用靴下の場合、チタン網を不織布や発泡ウレタン樹脂等にて被覆することにより形成されているため、つま先用靴下は伸縮性を有しておらず、つま先にフィット感が得られない。そのため、足に靴下を履き、その上につま先用靴下を履き、それから靴を履いて歩く際、つま先に違和感を感じ易い。
【０００６】
本考案は、このような課題に鑑みてなされたものであり、通気性および伸縮性を確保しながら、保温性を高めたつま先ウォーマーを提供することを目的とする。
【課題を解決するための手段】
【０００７】
かくして、本考案によれば、つま先を入れる開口部を有する袋状のつま先被覆部と、該つま先被覆部をつま先に着脱可能に固定するためのストッパ部とを備え、
つま先被覆部は、伸縮性および通気性を有する生地からなる足甲袋部と、足甲袋部の外周部に接合された伸縮性および通気性を有する生地からなる足裏袋部と、足甲袋部および足裏袋部の内部に充填された保温材とを有し、
ストッパ部は、つま先被覆部に連設され、つま先被覆部をつま先へ引き寄せて固定するよう構成され、
足甲袋部と足裏袋部のうち少なくとも一方の内部に充填される前記保温材が、発泡樹脂粒子からなるつま先ウォーマーが提供される。
【考案の効果】
【０００８】
本考案のつま先ウォーマーによれば、つま先を蒸らさない通気性およびつま先にフィット感が得られる伸縮性を確保しながら、使用者のつま先を効果的に保温性することができる。
また、使用者がつま先ウォーマーを履いて歩いても、ストッパ部によってつま先被覆部が脱げてしまうことがない。特に、足に靴下を履き、その上につま先ウォーマーを履き、それから靴を履いた場合、歩くことにより靴内でつま先ウォーマーがつま先から脱げそうになって違和感を覚えるということ、およびそれによってつま先を適切に保温できなくなる、ということを防止できる。
また、足甲側と足裏側の少なくとも一方の保温材として、保温効果の高い発泡樹脂粒子が用いられているため、薄くても保温性に優れたつま先ウォーマーを提供することができる。
【図面の簡単な説明】
【０００９】
【図１】図１（Ａ）は本考案に係るつま先ウォーマーの実施形態１を示す平面図であり、図１（Ｂ）は底面図である。
【図２】図２は本考案の実施形態１のつま先ウォーマーをつま先に装着した状態を示す側面図である。
【図３】図３は本考案の実施形態１のつま先ウォーマーをつま先に装着した状態を示す底面図である。
【図４】図４はつま先に装着した本考案の実施形態１のつま先ウォーマーを示す側断面図である。
【図５】図５はつま先に装着した本考案の実施形態１のつま先ウォーマーを示す別の側断面図である。
【図６】図６はつま先に装着した本考案の実施形態２のつま先ウォーマーを示す側断面図である。
【図７】図７はつま先に装着した本考案の実施形態３のつま先ウォーマーを示す側断面図である。
【図８】図８は本考案の実施形態４のつま先ウォーマーをつま先に装着した状態を示す側面図である。
【図９】図９は本考案の実施形態５のつま先ウォーマーをつま先に装着した状態を示す側面図である。
【考案を実施するための形態】
【００１０】
本考案のつま先ウォーマーは、直接または靴下を介してつま先に装着され、つま先を保温するための防寒具であり、つま先を入れる開口部を有する袋状のつま先被覆部と、該つま先被覆部をつま先に着脱可能に固定するためのストッパ部とを備える。つま先被覆部は、伸縮性および通気性を有する生地からなる足甲袋部と、足甲袋部の外周部に接合された伸縮性および通気性を有する生地からなる足裏袋部と、足甲袋部および足裏袋部の内部に充填された保温材とを有する。ストッパ部は、つま先被覆部に連設され、つま先被覆部をつま先へ引き寄せて固定するよう構成される。そして、足甲袋部と足裏袋部のうち少なくとも一方の内部に充填される前記保温材が、発泡樹脂粒子からなる。
【００１１】
このつま先ウォーマーは、次のように構成されてもよい。
（１）前記発泡樹脂粒子としては、特に限定されないが、平均粒子径０．３〜３．０ｍｍの発泡スチレン系樹脂粒子からなり、かつ粒子内部に多数の独立気泡を有してもよい。
平均粒子径０．３〜３．０ｍｍの発泡スチレン系樹脂粒子は、発泡樹脂粒子の好ましい流動性を得ることができる。また、発泡樹脂粒子が多数の独立気泡を有することにより、連続気泡を有する場合よりも高い保温効果を得ることができる。
【００１２】
スチレン系発泡樹脂粒子は、例えば、スチレン系発泡性樹脂粒子を蒸気等を使用して加熱し発泡させることにより製造される。発泡させる方法としては、具体的には、例えば円筒形の予備発泡機を用いて、スチーム等で加熱し発泡させる等の方法が使用できる。本発明に用いられるスチレン系発泡樹脂粒子の発泡倍率は約５〜１００倍（見掛比重０．０１〜０．２）であることが好ましい。中でも約２０〜６５倍（見掛比重０．０１５〜０．０５）のものは極めて良好な感触を得ることができる。
【００１３】
また、発泡樹脂粒子に流動促進剤を含有させてもよい。この場合、例えば、発泡樹脂粒子形成用の単量体に含ませる方法、発泡剤含浸前かつ重合完了後の樹脂粒子に添加して含ませる方法、発泡剤を含浸させた発泡性樹脂粒子に添加して含ませる方法、発泡後の発泡樹脂粒子に添加して含ませる方法を採用することができる。この内、発泡性樹脂粒子に添加して含ませる方法は、発泡樹脂粒子の製造が容易であるとの観点から好ましい。
【００１４】
（２）前記保温材として前記発泡樹脂粒子が充填された前記足裏袋部は、足指の付け根付近および足裏の幅方向中央付近への発泡樹脂粒子の足裏袋部内での移動を規制するＴ字形の仕切り部を有していてもよい。
つま先につま先ウォーマーを装着した使用者が歩いた際に、足裏袋部内の発泡樹脂粒子が足指の付け根付近および足裏の幅方向中央付近に集まると、使用者によっては足裏に痛みを感じる人がいるため、前記Ｔ字形の仕切り部を設けることによりこのような不具合を軽減することができる。
【００１５】
（３）前記ストッパ部は、前記足裏袋部と連設され、踵を通してアキレス腱に引っ掛けられるよう伸縮性生地にて輪形に形成されていてもよい。
このようにすれば、ストッパ部を簡素でありながら踵に装着し易い構造にすることができる。
【００１６】
（４）あるいは、前記ストッパ部は、前記足裏袋部と連設されて足首に結ぶことができる紐であってもよい。
このようにすれば、ストッパ部をより簡素化することができる。また、紐を足首の前で結ぶことにより、ストッパ部をアクセサリーとして機能させることもできる。
【００１７】
（５）あるいは、前記ストッパ部は、前記足裏袋部と連設され、踵に引っ掛けられるよう伸縮性生地にて凹形に形成されていてもよい。
このようにすれば、つま先ウォーマー全体をパンプス形に形成することができ、足全体につま先ウォーマーの装着感が得られる。また、ストッパ部によって足のつま先以外の部分の保温効果も得られる。
【００１８】
本考案のつま先ウォーマーは、つま先被覆部を構成する足甲袋部および足裏袋部のうち少なくとも一方に、保温材として発泡樹脂粒子が充填されていればよい。
足甲袋部および足裏袋部のうち一方のみに発泡樹脂粒子が充填される場合、他方に充填される保温材としては、特に限定されず、例えば、発泡ウレタンシート、綿、羽毛、毛などが挙げられる。
本考案において、靴を履いても窮屈にならないよう、保温材は保温性を確保しながら薄く形成されることが好ましい。発泡ウレタンシート、綿、羽毛、毛などの保温材に比べて、発泡樹脂粒子の保温性（熱遮断性）は高いため、前記観点から、足甲袋部と足裏袋部の両方に発泡樹脂粒子が充填されていることが好ましい。
【００１９】
本考案において、足甲袋部および足裏袋部への発泡樹脂粒子の充填量は任意の量であり、足のサイズが２４〜２８ｃｍの大人用つま先ウォーマーであれば、例えば７〜２０ｃｃ程度である。この程度の充填量であると、つま先ウォーマーを足に装着した際、発泡樹脂粒子はほぼ１個分の厚みでつま先全体を覆うように分散し、効果的につま先を保温することができる。
本考案において、つま先被覆部の足甲袋部および足裏袋部に使用される伸縮性と通気性を有する生地は、ストレッチ試験で３０〜３００％の伸縮性を有することが好ましく、例えば、スパンデックス（ポリウレタン弾性糸）が好ましい。
【００２０】
以下、図面を参照しながら本考案の実施形態を詳説する。なお、本考案は次の実施形態に限定されるものではない。
【００２１】
（実施形態１）
図１（Ａ）は本考案に係るつま先ウォーマーの実施形態１を示す平面図であり、図１（Ｂ）は底面図である。図２は本考案の実施形態１のつま先ウォーマーをつま先に装着した状態を示す側面図であり、図３は本考案の実施形態１のつま先ウォーマーをつま先に装着した状態を示す底面図である。図４はつま先に装着した本考案の実施形態１のつま先ウォーマーを示す側断面図であり、図５はつま先に装着した本考案の実施形態１のつま先ウォーマーを示す別の側断面図である。
【００２２】
このつま先ウォーマー１０は、つま先Ｔを入れる開口部１１ａを有する袋状のつま先被覆部１１と、つま先被覆部１１をつま先Ｔに着脱可能に固定するためのストッパ部１２とを備える。
つま先被覆部１１は、伸縮性および通気性を有する生地からなる足甲袋部１１Ａと、足甲袋部１１Ａの湾曲した外周部に接合された伸縮性および通気性を有する生地からなる足裏袋部１１Ｂと、足甲袋部１１Ａおよび足裏袋部１１Ｂの内部に充填された保温材１３としての発泡樹脂粒子１３Ａとを有する。
ストッパ部１２は、つま先被覆部１１に連設され、つま先被覆部１１をつま先Ｔへ引き寄せて固定するよう構成されている。
以下、つま先ウォーマー１０の各部分をさらに詳しく説明する。
【００２３】
足甲袋部１１Ａは、例えば、一枚の生地を二つ折りし、折曲げ部１１Ａａ以外の重ね部の外周部を円弧状に切断し、円弧状の外周部１１Ａｂを縫い合わせ、折曲げ部１１ｂから所定距離Ｌの部分１１Ａｃを縫い合わせることにより形成されている。
【００２４】
足裏袋部１１Ｂとストッパ部１２は同じ生地にて一体状に形成されている。すなわち、ストッパ部１２は、足裏袋部１１Ｂと連設され、踵Ｐを通してアキレス腱Ａに引っ掛けられるよう伸縮性生地にて輪形に形成されている。
【００２５】
例えば、二枚の生地を重ね合わせ、足裏袋部１１Ｂを形成すべき部分の生地を足甲袋部１１Ａと同じ形状になるよう裁断し、ストッパ部１２を形成すべき部分の生地を足裏袋部１１Ｂよりも幅が細くなる形状に裁断し、それら２枚の生地の外周部１１Ｂｂを縫い合わせる。また、足裏袋部１１Ｂを形成すべき部分における足甲袋部１１Ａの前記部分１１Ａｃと対向する部分１１Ｂｃを縫い合わせると共に、足指の付け根付近および足裏の幅方向中央付近に対応する部分をＴ字形に縫い合わせることによりに仕切り部１１Ｂｄを形成している。
【００２６】
このＴ字形の仕切り部１１Ｂｄにより、つま先Ｔにつま先ウォーマー１０を装着した使用者が歩いた際に、足裏袋部１１Ｂ内の発泡樹脂粒子１３Ａが足指の付け根付近および足裏の幅方向中央付近に集まることが防止される（図３および図５参照）。すなわち、足指の付け根付近および足裏の幅方向中央付近は窪んでいるため発泡樹脂粒子１３Ａが集まりやすく、発泡樹脂粒子１３Ａがこのような足裏の窪みに集まることにより使用者によっては痛みを感じる人がいるが、仕切り部１１Ｂｄによってこのような痛みを軽減乃至防止することができる。なお、図５では、足指の付け根付近に配置された仕切り部１１Ｂｄを示している。
【００２７】
一方、ストッパ部１２を形成すべき部分に楕円孔１２ａを形成すると共に、楕円孔１２ａの内周部１２ｂを縫い合わせる。実施形態１では、楕円孔１２ａの形成に際して、ストッパ部１２を形成すべき部分の端部側に切れ込みを入れ、その切れ込みを起点として楕円形に生地をくり抜き、切れ込み部分を縫合することにより楕円孔１２ａを形成している。符号１２ａ1は切れ込み縫合部分を示している（図２参照）。なお、切れ込み縫合部分１２ａ1は、つま先ウォーマー１０をつま先に装着した状態において、アキレス腱Ａからずれた位置に設けられることが好ましく、それによってアキレス腱Ａが切れ込み縫合部分１２ａ1に擦れて痛くなるという不具合を回避することができる。
また、実施形態１では、楕円孔１２ａの内周部１２ｂに伸縮性を有する紐（例えば、ゴム紐）を沿わせて縫い合わせており、これにより内周部１２ｂが補強されている。
【００２８】
前記のように形成された足甲袋部１１Ａのつま先側外周部の一部および足裏袋部１１Ｂのつま先側外周部の一部は、それらの内部に発泡樹脂粒子１３Ａを充填する前は、縫い合わせられておらず、その非縫合部分が充填口とされている。この充填口から足甲袋部１１Ａおよび足裏袋部１１Ｂの内部に、例えば、エアーガンを用いて空気流と共に発泡樹脂粒子１３Ａを７〜２０ｃｃ程度充填し、その後、充填口を縫合する。
そして、足甲袋部１１Ａと足裏袋部１１Ｂを重ね合わせ、重ね合わせたそれらの外周部（４枚の生地）を縫い合わせることにより、つま先ウォーマー１０が完成する。なお、足甲袋部１１Ａの外周縫合部と足裏袋部１１Ｂの外周縫合部を重ね合わせると厚くなり、それらを縫い合わせるのが難しい場合は、足甲袋部１１Ａおよび足裏袋部１１Ｂの外周縫合部を予め少し内側に配置しておいてもよい。さらに、足甲袋部１１Ａおよび足裏袋部１１Ｂの外周縫合部は、足甲袋部１１Ａと足裏袋部１１Ｂを縫い合わせた後に抜き取ってもよい。
【００２９】
図２、図４および図５に示すように、靴下を履いた足のつま先Ｔにつま先被覆部１１を装着し、輪形のストッパ部１２を引っ張り、踵Ｐを楕円孔１２ａに通してストッパ部１２をアキレス腱Ａに引っ掛けることにより、つま先ウォーマー１０が足に装着される。この状態において、足甲袋部１１Ａと足裏袋部１１Ｂはつま先にフィットするよう拡張し、足甲袋部１１Ａおよび足裏袋部１１Ｂの内部の発泡樹脂粒子１３Ａは静電気を帯びた生地に吸着しようと均一に分散し、それによってつま先Ｔ全体が発泡樹脂粒子１３Ａの直径分の厚み程度の薄い保温材層によって包まれる。
【００３０】
このように、実施形態１のつま先ウォーマー１０は、靴下の上から履いてもつま先部分が分厚くならないため、その足でも容易に靴の着脱ができると共に、靴を履いた状態でつま先が窮屈になることがない。また、足甲袋部１１Ａと足裏袋部１１Ｂは通気性を有する生地にて形成されると共に、それらの内部は細かい発泡樹脂粒子１３Ａが存在するため、つま先ウォーマー１０を装着したつま先の通気性は良好であり、蒸れることがない。
【００３１】
（実施形態２）
図６はつま先に装着した本考案の実施形態２のつま先ウォーマーを示す側断面図である。なお、図６において、図１〜図５中の要素と同様の要素には同一の符号を付している。
実施形態２のつま先ウォーマー２０は、つま先被覆部２１の足裏袋部１１Ｂの内部に充填された保温材１３が発泡ウレタンシート１３Ｂからなること以外は、実施形態１のつま先ウォーマー１０と概ね同様である。
発泡ウレタンシート１３Ｂの厚みは、特に限定されないが、薄すぎると期待する保温効果が得られず、厚すぎると靴を履いたときにつま先Ｔが窮屈になるため、３〜５ｍｍ程度が適当である。
【００３２】
（実施形態３）
図７はつま先に装着した本考案の実施形態３のつま先ウォーマーを示す側断面図である。なお、図７において、図１〜図６中の要素と同様の要素には同一の符号を付している。
実施形態３のつま先ウォーマー３０は、つま先被覆部３１の足甲袋部１１Ａの内部に充填された保温材１３が発泡ウレタンシート１３Ｂからなること以外は、実施形態１のつま先ウォーマー１０と概ね同様である。
実施形態３の場合も、実施形態２と同様に、発泡ウレタンシート１３Ｂの厚みは、特に限定されないが、３〜５ｍｍ程度が適当である。
【００３３】
（実施形態４）
図８は本考案の実施形態４のつま先ウォーマーをつま先に装着した状態を示す側面図である。なお、図８において、図１〜図５中の要素と同様の要素には同一の符号を付している。
実施形態４のつま先ウォーマー４０は、ストッパ部４２が足裏袋部１１Ｂと連設されて足首に結ぶことができる２本の紐にて構成されていること以外は、実施形態１のつま先ウォーマー１０と同様である。この場合、足裏袋部１１Ｂと同じ伸縮性を有する生地にて紐を形成してもよいし、伸縮性を有さない生地にて紐を形成してもよい。
【００３４】
（実施形態５）
図９は本考案の実施形態５のつま先ウォーマーをつま先に装着した状態を示す側面図である。なお、図９において、図１〜図５中の要素と同様の要素には同一の符号を付している。
実施形態５のつま先ウォーマー５０において、ストッパ部５２は、足裏袋部１１Ｂと一体状に連設され、踵Ｐに引っ掛けられるよう伸縮性生地にて凹形（パンプス形）に形成されている。実施形態５におけるその他の構成は、実施形態１と同様である。
【００３５】
（他の実施形態）
１．実施形態１〜５では、足の５本の指を一括して被覆する形状につま先被覆部が形成された場合を例示したが、つま先被覆部の形状は特に限定されず、例えば、足の親指が独立するよう足袋形につま先被覆部を形成してもよい。
２．実施形態２および３において、発泡ウレタンシートの代わりに、例えば、綿、羽毛、毛等を用いてもよい。
３．実施形態１〜５では、靴下を介してつま先につま先ウォーマーを装着した場合を例示したが、つま先ウォーマーを直接つま先に装着してもよい。この場合、爪によってつま先被覆部の生地が破れて内部の発泡樹脂粒子が流出しないよう、爪を短く切っておくことが望ましい。
４．熱融着可能な生地を用いる場合、生地同士の一部または全部を熱融着によって接合してもよい。
【符号の説明】
【００３６】
１１、２１、３１  つま先被覆部
１１Ａ  足甲袋部
１１ａ  開口部
１１Ｂ  足裏袋部
１１Ｂｄ  Ｔ字形の仕切り部
１２、４２、５２  ストッパ部
１３  保温材
１３Ａ  発泡樹脂粒子
Ｔ  つま先
【図１】
0003172726.tif 000003
【図２】
0003172726.tif 000004
【図３】
0003172726.tif 000005
【図４】
0003172726.tif 000006
【図５】
0003172726.tif 000007
【図６】
0003172726.tif 000008
【図７】
0003172726.tif 000009
【図８】
0003172726.tif 000010
【図９】
0003172726.tif 000011